(57)【要約】    【課題】排水口の底部に容易に配されることが出来、安価で使い捨てが可能であり、ずれにくく、流されるおそれがない排水口ネット、及びこの排水口ネットを容易に、衛生的に挟み、又は引っ掛けて引き上げるための手鉤付きはさみの提供。    【解決手段】円板状の排水口ネット１は、直径５ｍｍの角形の網目を有する。排水口ネット１は、排水口のフィルターの底部上、又は排水口の底部の十字状の流れ止め上に配される。排水口の底部の径と一致しなくても排水口の底部に容易に配されることが出来、安価で使い捨てが可能である。また、ずれにくく、確実に髪の毛、ゴミ等が捉えられ、流されるおそれがなく、詰まることもない。【選択図】図１
2006200281.tif 000002
【特許請求の範囲】
【請求項１】
円板状であり、複数の丸穴又は角穴を有する排水口ネット。
【請求項２】
上記丸穴又は角穴の最大寸法が７ｍｍ以下である請求項１に記載の排水口ネット。
【請求項３】
円板状の底部と、該底部に立設された側部とを有し、複数の丸穴又は角穴を有する排水口ネット。
【請求項４】
上記丸穴又は角穴の最大寸法が７ｍｍ以下である請求項３に記載の排水口ネット。
【請求項５】
ピンセット状であり、端部の外面に手鉤部を有する手鉤付きはさみ。
【発明の詳細な説明】
【技術分野】
【０００１】
本発明は、台所、洗面所、浴室等の排水口の底部に配される排水口ネット、及びこの排水口ネットを挟み、又は引っ掛けて引き上げるための手鉤付きはさみに関する。
【背景技術】
【０００２】
台所、洗面所、浴室等の排水口に、髪の毛、野菜くず、ゴミ等が流れ込むと詰まりの原因となり、環境汚染にも繋がる。それで、排水口には、金属製又はプラスチック製の円筒状のフィルターが配されることが多いが、フィルターにはぬめりが生じ易く、洗うのは煩雑で不衛生な作業である。また、汚れる度に廃棄するのは、経済的でない。
【０００３】
そこで、プラスチック製又は金属製であって、フランジと、袋状又は円筒状のネットとを有し、排水口の上縁にフランジを合わせてセットする排水口ネットが用いられることが多い。
【０００４】
図５は、浴室の排水口の目皿に貼り付けられる、従来の排水口シート５が示された平面図である。この排水口シート５は、ポリエチレン製で、複数の丸穴５ａを有しており、裏面の剥離紙を剥がして、目皿に貼り付けられるように構成されている。
【０００５】
図６は、洗面台の排水口に嵌められる、従来の排水口用スポンジ６が示された斜視図である。この排水口用スポンジ６は、多孔性であり、３つの水通し孔６ａを有する。この排水口用スポンジ６は、洗面台の排水口の底部の十字状の流れ止め上に配される。
【発明の開示】
【発明が解決しようとする課題】
【０００６】
前述のフランジとネットとを有する排水口ネットの場合、フランジの内径と排水口の径とが一致せず、排水口ネットを排水口に嵌めること出来なかったり、排水口の上蓋が閉められなかったりすることがある。また、使い捨てにするには高価であるという問題もある。
【０００７】
図５の排水口シート５の場合、目皿及び排水口周辺の水気、汚れ等がよく拭き取られないと、目皿に貼り付けることが出来ず、また、ずれやすいので、髪の毛等を完全に捉えることが出来ないという問題がある。そして、浴槽の排水時にはこの排水口シート５を取り除く必要があり、煩わしいという問題がある。
【０００８】
図６の排水口用スポンジ６の場合、排水口の流れ止め上に配されるので流されてしまうおそれがあり、髪の毛等により詰まりやすいという問題がある。
【０００９】
本発明の目的は、排水口の底部の径と一致しなくても排水口の底部に容易に配されることが出来、安価で使い捨てが可能であり、ずれにくく、流されるおそれがない排水口ネット、及びこの排水口ネットを容易に、衛生的に挟み、又は引っ掛けて引き上げるための手鉤付きはさみの提供にある。
【課題を解決するための手段】
【００１０】
本発明に係る排水口ネットは、
円板状であり、複数の丸穴又は角穴を有する。
【００１１】
本発明に係る排水口ネットは、
円板状の底部と、該底部に立設された側部とを有し、複数の丸穴又は角穴を有する。
【００１２】
好ましくは、上記丸穴又は角穴の最大寸法が７ｍｍ以下である。
【００１３】
本発明に係る手鉤付きはさみは、ピンセット状であり、端部の外面に手鉤部を有する。
【発明の効果】
【００１４】
本発明の排水口ネットは、排水口の底部の径と一致しなくても排水口の底部に容易に配されることが出来、安価で使い捨てが可能である。また、ずれにくく、確実に髪の毛、ゴミ等が捉えられ、流されるおそれがなく、詰まることもない。
【００１５】
本発明の手鉤付きはさみによれば、排水口ネットが容易に、衛生的に、挟まれ、又は引っ掛けられて引き上げられ得る。
【発明を実施するための最良の形態】
【００１６】
以下、適宜図面が参照されつつ、好ましい実施形態に基づいて本発明が詳細に説明される。
【００１７】
図１は、本発明の一実施形態に係る排水口ネット１が示された斜視図である。この排水口ネット１は、プラスチック製で円板状であり、角形の網目１ａを有する。網目１ａの一辺の長さは５ｍｍである。
【００１８】
この排水口ネット１は、排水口のフィルターの底部上、又は排水口の底部の十字状の流れ止め上に配される。この排水口ネット１は、フランジと、袋状又は円筒状のネットとを有する排水口ネットと異なり、排水口の底部又はフィルターの径と一致しなくても排水口の底部又はフィルターの底部に容易に配されることが出来る。そして、安価であるので使い捨てが可能である。また、図５の排水口シート５と異なり、セットが容易であり、ずれにくく、確実に髪の毛、ゴミ等が捉えられ、流されるおそれがない。図６の排水口用スポンジ６のように、詰まることもない。そして、網目１ａの一辺の長さが５ｍｍであり、対角線長が略７ｍｍであるので、コンタクトレンズが流されても、排水口シート１上に留まり、拾われ得る。
【００１９】
本実施形態においては、排水口ネット１がプラスチック製である場合につき説明しているがこれに限定されるものではなく、布製等であってもよい。また、網目１ａの一辺の長さは５ｍｍに限定されず、対角線長が７ｍｍ以下であればよい。さらに、後述する排水口ネット２と同様に、中央部に穴部が設けられたつまみ部を、排水口ネット１の中央部に設けることにしてもよい。
【００２０】
図２は、本発明の他の実施形態に係る排水口ネット２が示された斜視図である。この排水口ネット２は、プラスチック製であり、円板状の底部２ａと、これに立設された側部２ｂと、底部２ａの中央部に設けられたつまみ部２ｃとを備える。つまみ部２ｃの中央部には穴部２ｄが設けられている。底部２ａ及び側部２ｂは、角形の網目２ｅを有する。
【００２１】
この排水口ネット２は、排水口のフィルターの底部上、又は排水口の底部の十字状の流れ止め上に配される。この排水口ネット２は、排水口の底部の径と一致しなくても排水口の底部に容易に配されることが出来、安価で使い捨てが可能である。また、ずれにくく、確実に髪の毛、ゴミ等が捉えられ、流されるおそれがなく、詰まることもない。
【００２２】
そして、排水口ネット２は、穴部２ｄが設けられたつまみ部２ｃを備えるので、これをピンセット若しくは後述する手鉤付きはさみ４により挟み、又は穴部２ｄに引っ掛けて引き上げることで、衛生的かつ容易に、排水口ネットが廃棄され得、ピンセット等の両端部で髪の毛、ゴミ等をつまみ上げて髪の毛等が廃棄されて、排水口ネットが再使用され得る。
【００２３】
図３は、本発明のさらに他の実施形態に係る排水口ネット３が示された斜視図である。この排水口ネット３は、プラスチック製で円板状であり、丸形の網目３ａを有する。
【００２４】
この排水口ネット３は、排水口のフィルターの底部上、又は排水口の底部の十字状の流れ止め上に配される。この排水口ネット３は、排水口の底部の径と一致しなくても排水口の底部に容易に配されることが出来、安価で使い捨てが可能である。また、ずれにくく、確実に髪の毛、ゴミ等が捉えられ、流されるおそれがなく、詰まることもない。
【００２５】
なお、この排水口ネット３も、排水口ネット２と同様に、穴部が設けられたつまみ部を備えることにしてもよい。
【００２６】
図４は、本発明の一実施形態に係る手鉤付きはさみ４が示された斜視図である。手鉤付きはさみ４は、プラスチック製で、ピンセット状である。手鉤付きはさみ４の両端部の内面側には、複数の円錐状の突起部４ａが設けられている。手鉤付きはさみ４の一側は上に凸の曲面状であり、この一側の外面の端部側には、その鋭端部を手鉤付きはさみ４の中央部に向けて、手鉤部４ｂが設けられている。
【００２７】
この手鉤付きはさみ４は、両端部で、前述の排水口ネット１、排水口ネット２、排水口ネット３等の排水口ネットを挟んだり、手鉤部４ｂを排水口ネットの網目に引っ掛けたり、手鉤部４ｂを排水口ネットのつまみ部の穴部に引っ掛けたりして、排水口ネットを引き上げて廃棄するのに用いられる。また、手鉤付きはさみ４の両端部で髪の毛、ゴミ等をつまみ上げ、突起部４ａに引っ掛けて廃棄し、排水口ネットを再使用するのにも用いられる。
【００２８】
この手鉤付きはさみによれば、排水口ネットが容易に、衛生的に挟まれ、又は引っ掛けられて引き上げられ、処理されることが出来る。
【００２９】
本実施の形態においては、手鉤付きはさみ４がプラスチック製である場合につき説明しているがこれに限定されるものではなく、金属製であってもよい。
【産業上の利用可能性】
【００３０】
本発明は、台所、洗面所、浴室等の排水口の底部に配される排水口ネット、及びこの排水口ネットを挟んでつまみ上げるための手鉤付きはさみとして適用され得る。
【図面の簡単な説明】
【００３１】
【図１】図１は、本発明の一実施形態に係る排水口ネットが示された斜視図である。
【図２】図２は、本発明の他の実施形態に係る排水口ネットが示された斜視図である。
【図３】図３は、本発明のさらに他の実施形態に係る排水口ネットが示された斜視図である。
【図４】図４は、本発明の一実施形態に係る手鉤付きはさみが示された斜視図である。
【図５】図５は、従来の排水口シートが示された平面図である。
【図６】図６は、従来の排水口用スポンジが示された斜視図である。
【符号の説明】
【００３２】
１・・・排水口ネット
１ａ・・・網目
２・・・排水口ネット
２ａ・・・底部
２ｂ・・・側部
２ｃ・・・つまみ部
２ｄ・・・穴部
２ｅ・・・網目
３・・・排水口ネット
３ａ・・・網目
４・・・手鉤付きはさみ
４ａ・・・突起部
４ｂ・・・手鉤部
【図１】
2006200281.tif 000003
【図２】
2006200281.tif 000004
【図３】
2006200281.tif 000005
【図４】
2006200281.tif 000006
【図５】
2006200281.tif 000007
【図６】
2006200281.tif 000008